(57)【要約】【課題】清掃ヘッド固定性に優れる清掃具を提供すること。【解決手段】清掃ヘッド３と、ヘッド回転部材５と、清掃具用柄７とを備えている清掃具１であって、清掃ヘッド３が、平面方向Ｐ及び厚さ方向Ｔを備えている板状の形状を有するとともに、平面方向Ｐに沿う方向に延びている清掃面１１１と、平面方向Ｐに沿う方向に延びているヘッド回転軸ＲＡ1を備えているヘッド回転部材連結部１１７とを備えており、ヘッド回転部材５が、ヘッド回転部材連結部１１７に回転可能に連結されており、清掃具用柄７が、ヘッド回転部材５に連結されており、清掃具１が、清掃ヘッド３を、ヘッド回転部材５又は清掃具用柄７に固定できるように構成されていることを特徴とする清掃具１。【選択図】図３
2020075057.tif 000002
【特許請求の範囲】
【請求項１】
清掃ヘッドと、ヘッド回転部材と、清掃具用柄とを備えている清掃具であって、
前記清掃ヘッドが、平面方向及び厚さ方向を備えている板状の形状を有するとともに、前記平面方向に沿う方向に延びている清掃面と、前記平面方向に沿う方向に延びているヘッド回転軸を備えているヘッド回転部材連結部とを備えており、
前記ヘッド回転部材が、前記ヘッド回転部材連結部に回転可能に連結されており、
前記清掃具用柄が、前記ヘッド回転部材に連結されており、
前記清掃具が、前記清掃ヘッドを、前記ヘッド回転部材又は清掃具用柄に固定できるように構成されている、
ことを特徴とする、前記清掃具。
【請求項２】
前記ヘッド回転部材が、単一の平面であるヘッド回転部材仮想面上に配置されており、前記清掃具が、前記清掃ヘッドを、前記ヘッド回転部材に、前記平面方向と、前記ヘッド回転部材仮想面とが平行になるように固定できるように構成されている、請求項１に記載の清掃具。
【請求項３】
前記平面方向が、前記清掃ヘッドの長手方向及び短手方向を含み、
前記清掃ヘッドが、前記厚さ方向に延びており、前記長手方向の両端に配置された２つの長手方向側面であって、少なくとも一方が、前記ヘッド回転部材連結部の開口部を備えるものと、前記短手方向の両端に配置された２つの短手方向側面であって、少なくとも一方が短手方向清掃側面を構成するものとを備えており、前記ヘッド回転部材連結部が、前記長手方向に延びており、
前記ヘッド回転部材が、棒状のブラケットから構成されているとともに、前記ヘッド回転部材連結部に回転可能に連結されているヘッド連結部と、前記清掃具用柄に連結されている柄連結部と、前記ヘッド連結部及び柄連結部を離間させている離間部とを備えており、
前記清掃具が、前記清掃ヘッドを、前記ヘッド回転部材に固定できるように構成されている、
請求項１又は２に記載の清掃具。
【請求項４】
前記離間部が、前記開口部を有する前記長手方向側面に沿う方向に延びており、前記長手方向側面が、前記ヘッド回転部材の前記離間部を保持するように構成された溝部を備えている、請求項３に記載の清掃具。
【請求項５】
前記清掃ヘッドと、前記ヘッド回転部材の前記ヘッド連結部とが、それぞれ、お互いに引き合うように配置された、一対の磁石又は一対の磁石及び強磁性体を備えている、請求項３又は４に記載の清掃具。
【請求項６】
前記離間部が、前記開口部を有する前記長手方向側面に沿う方向に延びており、前記清掃ヘッドの前記長手方向側面よりの部分と、前記ヘッド回転部材の前記離間部とが、それぞれ、お互いに引き合うように配置された、一対の磁石又は一対の磁石及び強磁性体を備えている、請求項３〜５のいずれか一項に記載の清掃具。
【請求項７】
前記柄連結部が、前記短手方向側面に沿う方向に延びており、前記清掃ヘッドの前記短手方向側面よりの部分と、前記ヘッド回転部材の前記柄連結部とが、それぞれ、お互いに引き合うように配置された、一対の磁石又は一対の磁石及び強磁性体を備えている、請求項３〜６のいずれか一項に記載の清掃具。
【請求項８】
前記清掃具用柄が、前記柄連結部と連結するための連結部を備えており、前記清掃ヘッドの前記短手方向側面よりの部分と、前記連結部とが、それぞれ、お互いに引き合うように配置された、一対の磁石又は一対の磁石及び強磁性体を備えている、請求項３〜７のいずれか一項に記載の清掃具。
【請求項９】
前記清掃具が、前記清掃ヘッドを、前記清掃具用柄に固定できるように構成されており、
前記ヘッド回転部材が、回転部材側継手部であり、
前記ヘッド回転部材連結部が、ヘッド側継手部であり、
前記清掃ヘッドが、前記平面方向のうち、前記ヘッド回転軸と交差する方向に延びている、前記清掃具用柄を受け入れるための受入部を備えており、
前記清掃ヘッドが、前記受入部に、前記清掃具用柄を保持するように構成された溝部を備えている、請求項１又は２に記載の清掃具。
【請求項１０】
前記清掃具が、前記清掃ヘッドを、前記清掃具用柄に固定できるように構成されており、
前記ヘッド回転部材が、回転部材側継手部であり、
前記ヘッド回転部材連結部が、ヘッド側継手部であり、
前記清掃ヘッドが、前記平面方向のうち、前記ヘッド回転軸と交差する方向に延びている、前記清掃具用柄を受け入れるための受入部を備えており、
前記清掃具用柄と、前記清掃ヘッドの前記受入部とが、それぞれ、お互いに引き合うように配置された、一対の磁石又は一対の磁石及び強磁性体を備えている、請求項１、２又は９に記載の清掃具。
【請求項１１】
前記清掃ヘッドが、前記ヘッド回転軸を通り且つ前記厚さ方向に延びる仮想面により、第１ヘッド領域と、第２ヘッド領域とに区画され、
前記清掃ヘッドが、その重心を、第１ヘッド領域に有する、
請求項１〜１０のいずれか一項に記載の清掃具。
【請求項１２】
清掃シートの、前記清掃シートを保持可能な清掃ヘッドと、ヘッド回転部材と、清掃具用柄とを備えている清掃具への使用であって、
前記清掃ヘッドが、平面方向及び厚さ方向を備えている板状の形状を有するとともに、前記平面方向に沿う方向に延びている清掃面と、前記平面方向に沿う方向に延びているヘッド回転軸を備えているヘッド回転部材連結部とを備えており、
前記ヘッド回転部材が、前記ヘッド回転部材連結部に回転可能に連結されており、
前記清掃具が、前記清掃ヘッドを、前記ヘッド回転部材に固定できるように構成されている、
ことを特徴とする、前記使用。
【請求項１３】
請求項１〜１１のいずれか一項に記載の清掃具用の清掃シートであって、
前記清掃ヘッドが、前記清掃シートを保持可能なように構成されており、
前記清掃シートが、前記清掃ヘッドに保持されるように構成されている、
前記清掃シート。
【発明の詳細な説明】
【技術分野】
【０００１】
本開示は、清掃ヘッドを備えている清掃具、清掃シートの、上記清掃具への使用、及び上記清掃具用の清掃シートに関する。
【背景技術】
【０００２】
清掃シートを清掃ヘッドに取り付けるタイプの清掃具が知られている。
例えば、特許文献１には、清掃シートを挟み込むスリットが形成された本体と、前記本体が回動自在に支承された略コ字状に形成された支持アームと、前記支持アームの端部が自在継手を介して連結されたハンドルと、が備えられていることを特徴とする清掃用具が開示されている。
【０００３】
特許文献１の図１に記載される清掃用具Ａは、特許文献１の段落［００１４］に記載されるように、清掃シートＳを挟み込むスリットが形成された本体１と、前記本体が回動自在に支承された略コ字状に形成された支持アーム２と、前記支持アーム２の端部が自在継手３を介して連結されたハンドル４と、から構成されている。また、ハンドル４の上端部には、持ち易いように、取っ手５が装着されている。
【０００４】
特許文献１に記載の清掃用具Ａは、特許文献１の段落［００２２］及び図８に示されるように、床などの広い面を拭く場合には、広い払拭面を持つ下カバー体２２を下側にして掃除を行うものである。
また、特許文献１に記載の清掃用具Ａは、特許文献１の段落［００２４］及び図９に示されるように、本体１を９０度回転させて横面を使用して掃除ができる。
【先行技術文献】
【特許文献】
【０００５】
【特許文献１】実用新案登録第３１５２６３２号公報
【発明の概要】
【発明が解決しようとする課題】
【０００６】
特許文献１に記載の清掃用具Ａは、本体１と、支持アーム２とを固定することができるように構成されていないので、特許文献１の段落［００２４］及び図９に示されるように、本体１を９０度回転させて横面を使用して清掃する際に、本体１が回転してしまい、横面を用いた清掃がしにくい傾向があった。
従って、本開示は、清掃ヘッド固定性に優れる清掃具を提供することを目的とする。
【課題を解決するための手段】
【０００７】
本開示者らは、清掃ヘッドと、ヘッド回転部材と、清掃具用柄とを備えている清掃具であって、上記清掃ヘッドが、平面方向及び厚さ方向を備えている板状の形状を有するとともに、上記平面方向に沿う方向に延びている清掃面と、上記平面方向に沿う方向に延びているヘッド回転軸を備えているヘッド回転部材連結部とを備えており、上記ヘッド回転部材が、上記ヘッド回転部材連結部に回転可能に連結されており、上記清掃具用柄が、上記ヘッド回転部材に連結されており、上記清掃具が、上記清掃ヘッドを、上記ヘッド回転部材又は清掃具用柄に固定できるように構成されていることを特徴とする清掃具を見出した。
【発明の効果】
【０００８】
本開示の清掃具は、清掃ヘッド固定性に優れる。
【図面の簡単な説明】
【０００９】
【図１】図１は、第１実施形態に従う清掃具１の斜視図である。
【図２】図２は、清掃ヘッド３の斜視図である。
【図３】図３は、展開形態における清掃ヘッド３の斜視図である。
【図４】図４は、清掃ヘッド３の、図３のＩＶ−ＩＶ断面における断面図である。
【図５】図５は、ブラケット５の斜視図である。
【図６】図６は、清掃シート３１を清掃ヘッド３に取り付ける方法を説明するための図である。
【図７】図７は、清掃シート３１を清掃ヘッド３に取り付ける方法を説明するための図である。
【図８】図８は、清掃シート３１を清掃ヘッド３に取り付ける方法を説明するための図である。
【図９】図９は、清掃シート３１を清掃ヘッド３に取り付ける方法を説明するための図である。
【図１０】図１０は、広空間清掃形態における清掃具１を説明するための図である。
【図１１】図１１は、狭空間清掃形態における清掃具１を説明するための図である。
【図１２】図１２は、第２実施形態に従う清掃具１の斜視図である。
【発明を実施するための形態】
【００１０】
［定義］
・「狭空間」及び「広空間」
本明細書では、狭い空間を「狭空間」と称し、狭空間の中で、垂直方向に沿う方向に延びており且つ水平方向に沿う方向に狭い空間を「垂直方向狭空間」と称し、そして水平方向に沿う方向に延びており且つ垂直方向に沿う方向に狭い空間を「水平方向狭空間」と称する場合がある。また、狭空間を構成する面を「被清掃面」と称する場合があり、そして異なる方向に延在する２つの被清掃面が交差する部分を「隅部」と称する場合がある。
なお、上記被清掃面としては、例えば、壁、床面、家具の頂面、側面及び底面、電化製品の頂面、側面及び底面等が挙げられる。
また、本明細書では、広い空間を「広空間」と称する場合がある。
【００１１】
・対象物に関する「所定の方向に沿う」
本明細書では、対象物に関して「所定の方向に沿う」とは、対象物が、所定の方向と直交する直交方向よりも、所定の方向に近い方向に延びていることを意味し、そして具体的には、対象物が、所定の方向と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の方向と平行」と称する場合がある。
【００１２】
上記所定の方向としては、例えば、水平方向、垂直方向、平面方向、長手方向、短手方向、厚さ方向等が挙げられる。
例えば、対象物である被清掃面が、「垂直方向に沿う」とは、被清掃面が、垂直方向と、好ましくは４５°未満、より好ましくは３０°以下、さらに好ましくは２０°以下、そしてさらにいっそう好ましくは５°以下の交差角を有するように延びていることを意味する。
【００１３】
・対象物に関する「所定の線に沿う」
本明細書では、対象物に関して「所定の線に沿う」とは、対象物が、所定の線と直交する直交方向よりも、所定の線に近い方向に延びていることを意味し、そして具体的には、対象物が、所定の線と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の線と平行」と称する場合がある。
【００１４】
上記所定の線としては、例えば、軸、例えば、ヘッド回転軸、挟持部回転軸、柄回転軸等が挙げられる。
例えば、対象物であるおもりが、「ヘッド回転軸に沿う」とは、おもりが、ヘッド回転軸と、好ましくは４５°未満、より好ましくは３０°以下、さらに好ましくは２０°以下、そしてさらにいっそう好ましくは５°以下の交差角を有するように延びていることを意味する。
【００１５】
・「水平方向清掃性」及び「垂直方向清掃性」
本明細書では、「水平方向清掃性」は、水平方向に沿う方向に延びている被清掃面の清掃性を意味し、「垂直方向清掃性」は、垂直方向に沿う方向に延びている被清掃面の清掃性を意味する。
・「狭空間清掃性」
本明細書では、「狭空間清掃性」は、狭空間を構成する被清掃面の清掃性を意味する。また、本明細書では、垂直方向狭空間及び水平方向狭空間を構成する被清掃面の清掃性を、それぞれ、「垂直方向狭空間清掃性」及び「水平方向狭空間清掃性」と称する。
・「清掃面切替性」
本明細書では、「清掃面切替性」は、清掃面（第１清掃面から第２清掃面へ、又は第２清掃面から第１清掃面へ）の切替性を意味する。
【００１６】
・清掃具に関する「狭空間清掃形態」、「広空間清掃形態」
本明細書では、清掃具に関する「狭空間清掃形態」は、清掃具を用いて狭空間を清掃するための形態で有り、清掃ヘッド、ヘッド回転部材（特に、ブラケット）及び清掃具用柄を、清掃ヘッドの平面方向、ヘッド回転部材仮想面（特に、ブラケット仮想面）及び柄軸が、平行になる(好ましくは、同一平面上に存在する）ように保持した形態を意味する。なお、清掃ヘッド及びヘッド回転部材（特に、ブラケット）を、清掃ヘッドの平面方向及びヘッド回転部材仮想面（特に、ブラケット仮想面）が、平行になる(好ましくは、同一平面上に存在する）ように保持することを、清掃ヘッドの平面方向及びヘッド回転部材（特に、ブラケット）のヘッド回転部材仮想面（特に、ブラケット仮想面）を一致させると称する場合がある。
なお、本明細書では、清掃ヘッドの平面方向、ヘッド回転部材仮想面及び／又は柄軸に関する平行は、それらの交差角が１０°以下、好ましくは５°以下、そしてさらに好ましくは０°であることを意味する。
【００１７】
本明細書では、清掃具に関する「広空間清掃形態」は、清掃ヘッドの平面方向を、ヘッド回転部材（特に、ブラケット）のヘッド回転部材仮想面（特に、ブラケット仮想面）と交差するように保持した形態を意味するものとする。
なお、上記定義は、清掃具を用いて狭空間及び広空間を清掃する際の典型的な形態を意味するものであり、清掃具を用いた清掃の形態を限定するものではない。
【００１８】
・挟持部に関する「閉鎖形態」及び「展開形態」
本明細書では、挟持部に関する「閉鎖形態」は、清掃ヘッドが挟持部を備えている場合に、挟持部が閉じている形態を意味する。また、挟持部が、回転端及び開閉端を有する、第１挟持部分及び第２挟持部分を備えている場合には、挟持部に関する「閉鎖形態」は、開閉端が閉じている形態を意味する。
本明細書では、挟持部に関する「展開形態」は、清掃ヘッドが挟持部を備えている場合に、挟持部が開いている形態を意味する。また、挟持部が、回転端及び開閉端を有する、第１挟持部分及び第２挟持部分を備えている場合には、挟持部に関する「展開形態」は、開閉端が閉じていない形態、特に、第１挟持部分の開閉端を構成する部分と、第２挟持部分の開閉端を構成する部分とが最も遠い位置に存在する形態を意味する。
なお、閉鎖形態及び展開形態ともに、挟持部は、清掃シートを挟持していてもよく、そして清掃シートを挟持していなくともよい。
【００１９】
・清掃ヘッドに関する「起立」
本明細書では、清掃ヘッドに関する起立は、清掃ヘッドが、その平面方向が水平方向に沿う方向に延びている状態から、その平面方向が垂直方向に沿う方向に延びている状態に清掃ヘッドを回転させることを意味する。例えば、清掃ヘッドを持ち上げ、その平面方向が水平方向に沿う方向に延びている状態から、その平面方向が垂直方向に沿う方向に延びている状態に回転させ、清掃ヘッドを起立させることができる。
【００２０】
・「内方」及び「外方」
本明細書では、「内方」及び「外方」は、それぞれ、所定の線、例えば、中心線（例えば、長手方向中心線、短手方向中心線、厚さ方向中心線等）、軸（例えば、回転軸、例えば、ヘッド回転軸、挟持部回転軸、柄回転軸、柄軸等）等を有する対象物において、所定の線に近づく方向及び軸から遠ざかる方向を意味する。例えば、長手方向の内方とは、長手方向のうち、短手方向に延びている長手方向中心線に近づく方向を意味する。
【００２１】
・「内方の位置」及び「外方の位置」
また、本明細書では、一方が、他方より「内方の位置」に配置されていることは、一方が、他方よりも、対象となる所定の線に近い位置に配置されていることを意味し、そして一方が、他方より「外方の位置」に配置されていることは、一方が、他方よりも、対象となる所定の線に遠い位置に配置されていることを意味する。
【００２２】
具体的には、本開示は以下の態様に関する。
［態様１］
清掃ヘッドと、ヘッド回転部材と、清掃具用柄とを備えている清掃具であって、
上記清掃ヘッドが、平面方向及び厚さ方向を備えている板状の形状を有するとともに、上記平面方向に沿う方向に延びている清掃面と、上記平面方向に沿う方向に延びているヘッド回転軸を備えているヘッド回転部材連結部とを備えており、
上記ヘッド回転部材が、上記ヘッド回転部材連結部に回転可能に連結されており、
上記清掃具用柄が、上記ヘッド回転部材に連結されており、
上記清掃具が、上記清掃ヘッドを、上記ヘッド回転部材又は清掃具用柄に固定できるように構成されている、
ことを特徴とする、上記清掃具。
【００２３】
上記清掃具は、ヘッド回転部材と、清掃ヘッドとが回転可能に連結されているので、清掃具を用いて、水平面及び垂直面を清掃しやすく、清掃具が、水平方向清掃性及び垂直方向清掃性に優れる。また、上記清掃具は、清掃ヘッドを、ヘッド回転部材に固定できるように構成されているので、清掃具を持ち運ぶ際、清掃具を保管する際等の、清掃ヘッドを回転させたくない際に、清掃ヘッドを固定しておくことができ、清掃具が、清掃ヘッド固定性に優れる。
【００２４】
［態様２］
上記ヘッド回転部材が、単一の平面であるヘッド回転部材仮想面上に配置されており、上記清掃具が、上記清掃ヘッドを、上記ヘッド回転部材に、上記平面方向と、上記ヘッド回転部材仮想面とが平行になるように固定できるように構成されている、態様１に記載の清掃具。
【００２５】
上記清掃具では、清掃ヘッドを、ヘッド回転部材に、清掃ヘッドの平面方向と、ヘッド回転部材仮想面とが平行になるように固定できるように、すなわち、狭空間清掃形態を固定できるように構成されている。従って、清掃具が、清掃ヘッド固定性、特に、狭空間清掃形態の固定性に優れる。また、清掃ヘッドが、狭空間清掃形態の固定性に優れる結果、清掃ヘッドが、狭空間清掃性に優れる。
【００２６】
［態様３］
上記平面方向が、上記清掃ヘッドの長手方向及び短手方向を含み、
上記清掃ヘッドが、上記厚さ方向に延びており、上記長手方向の両端に配置された２つの長手方向側面であって、少なくとも一方が、上記ヘッド回転部材連結部の開口部を備えるものと、上記短手方向の両端に配置された２つの短手方向側面であって、少なくとも一方が短手方向清掃側面を構成するものとを備えており、上記ヘッド回転部材連結部が、上記長手方向に延びており、
上記ヘッド回転部材が、棒状のブラケットから構成されているとともに、上記ヘッド回転部材連結部に回転可能に連結されているヘッド連結部と、上記清掃具用柄に連結されている柄連結部と、上記ヘッド連結部及び柄連結部を離間させている離間部とを備えている、
上記清掃具が、上記清掃ヘッドを、上記ヘッド回転部材に固定できるように構成されている、
態様１又は２に記載の清掃具。
【００２７】
上記清掃具では、清掃ヘッドが、ヘッド回転部材であるブラケットに固定できるように構成されているとともに、清掃ヘッドが、短手方向側面の少なくとも一方が、短手方向清掃側面を構成しているので、清掃具が、短手方向清掃側面がヘッド回転部材の柄連結部と反対側を向くように狭空間清掃形態を形成し、狭空間を清掃すると、狭空間を構成する狭い被清掃面（例えば、水平方向狭空間における垂直方向に延びる被清掃面、垂直方向狭空間における水平方向に延びる被清掃面）の清掃性に優れ、清掃具が、狭空間清掃性に優れる。
【００２８】
［態様４］
上記離間部が、上記開口部を有する上記長手方向側面に沿う方向に延びており、上記長手方向側面が、上記ヘッド回転部材の上記離間部を保持するように構成された溝部を備えている、態様３に記載の清掃具。
【００２９】
上記清掃具では、清掃ヘッドの長手方向側面が、ヘッド回転部材の離間部を保持するように構成された溝部を備えているので、清掃具が、狭空間清掃形態の固定性に優れるとともに、清掃具が、狭空間清掃性に優れる。
【００３０】
［態様５］
上記清掃ヘッドと、上記ヘッド回転部材の上記ヘッド連結部とが、それぞれ、お互いに引き合うように配置された、一対の磁石又は一対の磁石及び強磁性体を備えている、態様３又は４に記載の清掃具。
【００３１】
上記清掃具では、清掃ヘッドと、ヘッド回転部材のヘッド連結部とが、それぞれ、お互いに引き合うように配置された、一対の磁石又は一対の磁石及び強磁性体を備えているので、清掃具が、狭空間清掃形態の固定性に優れるとともに、清掃具が、狭空間清掃性に優れる。
【００３２】
［態様６］
上記離間部が、上記開口部を有する上記長手方向側面に沿う方向に延びており、上記清掃ヘッドの上記長手方向側面よりの部分と、上記ヘッド回転部材の上記離間部とが、それぞれ、お互いに引き合うように配置された、一対の磁石又は一対の磁石及び強磁性体を備えている、態様３〜５のいずれか一項に記載の清掃具。
【００３３】
上記清掃具では、清掃ヘッドの長手方向側面よりの部分と、ヘッド回転部材の離間部とが、それぞれ、お互いに引き合うように配置された、一対の磁石又は一対の磁石及び強磁性体を備えているので、清掃具が、狭空間清掃形態の固定性に優れるとともに、清掃具が、狭空間清掃性に優れる。
【００３４】
［態様７］
上記柄連結部が、上記短手方向側面に沿う方向に延びており、上記清掃ヘッドの上記短手方向側面よりの部分と、上記ヘッド回転部材の上記柄連結部とが、それぞれ、お互いに引き合うように配置された、一対の磁石又は一対の磁石及び強磁性体を備えている、態様３〜６のいずれか一項に記載の清掃具。
【００３５】
上記清掃具では、清掃ヘッドの短手方向側面よりの部分と、ヘッド回転部材の柄連結部とが、それぞれ、お互いに引き合うように配置された、一対の磁石又は一対の磁石及び強磁性体を備えているので、清掃具が、狭空間清掃形態の固定性に優れるとともに、清掃具が、狭空間清掃性に優れる。
【００３６】
［態様８］
上記清掃具用柄が、上記柄連結部と連結するための連結部を備えており、上記清掃ヘッドの上記短手方向側面よりの部分と、上記連結部とが、それぞれ、お互いに引き合うように配置された、一対の磁石又は一対の磁石及び強磁性体を備えている、態様３〜７のいずれか一項に記載の清掃具。
【００３７】
上記清掃具では、清掃ヘッドの短手方向側面よりの部分と、連結部とが、それぞれ、お互いに引き合うように配置された、一対の磁石又は一対の磁石及び強磁性体を備えているので、清掃具が、狭空間清掃形態の固定性に優れるとともに、清掃具が、狭空間清掃性に優れる。
【００３８】
［態様９］
上記清掃具が、上記清掃ヘッドを、上記清掃具用柄に固定できるように構成されており、
上記ヘッド回転部材が、回転部材側継手部であり、
上記ヘッド回転部材連結部が、ヘッド側継手部であり、
上記清掃ヘッドが、上記平面方向のうち、上記ヘッド回転軸と交差する方向に延びている、上記清掃具用柄を受け入れるための受入部を備えており、
上記清掃ヘッドが、上記受入部に、上記清掃具用柄を保持するように構成された溝部を備えている、態様１又は２に記載の清掃具。
【００３９】
上記清掃具では、清掃ヘッドが、所定の受入部に、清掃具用柄を保持するように構成された溝部を備えているので、清掃具が、狭空間清掃形態の固定性に優れるとともに、清掃具が、狭空間清掃性に優れる。
【００４０】
［態様１０］
上記清掃具が、上記清掃ヘッドを、上記清掃具用柄に固定できるように構成されており、
上記ヘッド回転部材が、回転部材側継手部であり、
上記ヘッド回転部材連結部が、ヘッド側継手部であり、
上記清掃ヘッドが、上記平面方向のうち、上記ヘッド回転軸と交差する方向に延びている、上記清掃具用柄を受け入れるための受入部を備えており、
上記清掃具用柄と、上記清掃ヘッドの上記受入部とが、それぞれ、お互いに引き合うように配置された、一対の磁石又は一対の磁石及び強磁性体を備えている、態様１、２又は９に記載の清掃具。
【００４１】
上記清掃具では、清掃具用柄と、清掃ヘッドの受入部とが、それぞれ、お互いに引き合うように配置された、一対の磁石又は一対の磁石及び強磁性体を備えているので、清掃具が、狭空間清掃形態の固定性に優れるとともに、清掃具が、狭空間清掃性に優れる。
【００４２】
［態様１１］
上記清掃ヘッドが、上記ヘッド回転軸を通り且つ上記厚さ方向に延びる仮想面により、第１ヘッド領域と、第２ヘッド領域とに区画され、
上記清掃ヘッドが、その重心を、第１ヘッド領域に有する、
態様１〜１０のいずれか一項に記載の清掃具。
【００４３】
上記清掃ヘッドは、その重心を、第１ヘッド領域に有するため、使用者が、清掃ヘッドを含む清掃具を持ち上げた際に、第１ヘッド領域が下方に移動し、そして第２ヘッド領域が上方に移動しやすくなる、すなわち、清掃ヘッドが起立しやすくなるため、清掃ヘッドを、狭空間清掃形態にさせやすく、ひいては、清掃ヘッドが、狭空間清掃形態の固定性に優れる。
【００４４】
［態様１２］
清掃シートの、上記清掃シートを保持可能な清掃ヘッドと、ヘッド回転部材と、清掃具用柄とを備えている清掃具への使用であって、
上記清掃ヘッドが、平面方向及び厚さ方向を備えている板状の形状を有するとともに、上記平面方向に沿う方向に延びている清掃面と、上記平面方向に沿う方向に延びているヘッド回転軸を備えているヘッド回転部材連結部とを備えており、
上記ヘッド回転部材が、上記ヘッド回転部材連結部に回転可能に連結されており、
上記清掃具が、上記清掃ヘッドを、上記ヘッド回転部材に固定できるように構成されている、
ことを特徴とする、上記使用。
上記使用は、態様１と同様の効果を有する。
【００４５】
［態様１３］
態様１〜１１のいずれか一項に記載の清掃具用の清掃シートであって、
上記清掃ヘッドが、上記清掃シートを保持可能なように構成されており、
上記清掃シートが、上記清掃ヘッドに保持されるように構成されている、
上記清掃シート。
上記清掃シートは、所定の清掃ヘッドに保持されるように構成されているので、態様１と同様の効果を有する。
【００４６】
本開示の、清掃ヘッドを備える清掃具（以下、「清掃ヘッドを備える清掃具」を、単に『清掃具』と称する場合がある）、本開示の、清掃シートの、上記清掃具への使用（以下、「清掃シートの、上記清掃具への使用」を、単に『清掃具への使用』又は『使用』と称する場合がある）、及び本開示の、清掃具用の清掃シート（以下、「清掃具用の清掃シート」を、単に『清掃シート』と称する場合がある）ついて、以下、詳細に説明する。
【００４７】
なお、以下、清掃具に関する実施形態において、清掃具、清掃具への使用、及び清掃シートに関する実施形態を、まとめて説明する。また、清掃具に関する実施形態では、理解しやすさのため、清掃具を、被清掃面側の部材から使用者側の部材の順番、具体的には、清掃ヘッド、ヘッド回転部材、及び清掃具用柄の順番で説明する。
【００４８】
図１〜図１０は、本開示の実施形態の１つ（以下、「第１実施形態」と称する）に従う清掃具１を説明するための図である。具体的には、図１は、清掃具１の斜視図である。図２は、清掃ヘッド３の斜視図であり、図１に示される清掃具１の清掃ヘッド３の部分の拡大図に相当する。図３は、展開形態における清掃ヘッド３の斜視図である。図４は、清掃具１の、図３のＩＶ−ＩＶ断面における断面図である。図５は、ヘッド回転部材としてのブラケット５の斜視図である。図６〜図９は、清掃シート３１を清掃ヘッド３に取り付ける方法を説明するための図である。図１０は、広空間清掃形態における清掃具１を説明するための図である。図１１は、狭空間清掃形態における清掃具１を説明するための図である。
【００４９】
第１実施形態に従う清掃具１は、清掃ヘッド３と、清掃ヘッド３に回転可能に取り付けられている、ヘッド回転部材としてのブラケット５と、ブラケット５に連結されている清掃具用柄７とを備えている。
清掃ヘッド３は、平面方向Ｐと、厚さ方向Ｔとを備えている板状の形状を有し、平面方向Ｐと平行に延びている清掃面１１１（具体的には、第１清掃面１１３及び第２清掃面１１５）と、ヘッド回転部材連結部としての、平面方向Ｐ（具体的には、長手方向Ｌ）と平行にヘッド回転軸ＲＡ1を備えているブラケット用孔１１７とを備えている。第１清掃面１１３と、第２清掃面１１５とは、ヘッド回転軸ＲＡ1を間に挟んで、厚さ方向Ｔにおいて、お互いに対向している。なお、ヘッド回転軸ＲＡ1は、清掃ヘッド３を、ブラケット５に対して回転させるための回転軸である。
【００５０】
清掃ヘッド３は、長手方向Ｌと、長手方向Ｌと直交する短手方向Ｓとを有している。長手方向Ｌ及び短手方向Ｓは、平面方向Ｐ内に配置されている。ブラケット用孔１１７と、ヘッド回転軸ＲＡ1とは、長手方向Ｌに延びている。ブラケット用孔１１７は、清掃ヘッド３の４つの側面（図示せず）のうちの１つの側面（図示せず）に開口部１１７ａを有している。
【００５１】
清掃ヘッド３は、ヘッド回転軸ＲＡ1を通り且つ厚さ方向Ｔに延びている仮想面ＩＳにより、第１ヘッド領域１１９と、第２ヘッド領域１２１とに区画され、清掃ヘッド３が、清掃ヘッド３の重心を、第１ヘッド領域１１９に有する。なお、清掃ヘッド３の重心は、おもり１５３により調整されている。なお、おもり１５３は、磁石により構成されている。
【００５２】
清掃ヘッド３は、清掃シート３１を保持できるように構成されている。具体的には、清掃ヘッド３は、清掃シート３１の一方の端部３３を挟持するように構成されている挟持部１２３を備えている。
【００５３】
挟持部１２３は、第１挟持部分１２５と、第２挟持部分１３５とを備えており、第１挟持部分１２５及び第２挟持部分１３５は、ヘッド回転軸ＲＡ1（長手方向Ｌ）と平行に延びている挟持部回転軸ＲＡ2を有する回転端１４５により回転可能に連結されているとともに、ヘッド回転軸ＲＡ1（長手方向Ｌ）と平行に延びている開閉端１４７により開閉可能に連結されている。
【００５４】
開閉端１４７は、第１ヘッド領域１１９内の清掃ヘッド３の短手方向Ｓの一方の端部１４９に配置されており、回転端１４５は、第２ヘッド領域１２１内のヘッド回転軸ＲＡ1よりの位置に配置されている。ブラケット用孔１１７は、第２挟持部分１３５に配置されている。
【００５５】
第１挟持部分１２５は、第１外面１２７及び第１内面１２９を備えており、第２挟持部分１３５は、第２外面１３７及び第２内面１３９を備えている。
【００５６】
第１挟持部分１２５は、第１ヘッド領域１１９において、第２挟持部分１３５に配置されたおもり１５３を備えている。おもり１５３は、磁石から構成され、清掃ヘッド３の長手方向Ｌの中心において、ヘッド回転軸ＲＡ1（長手方向Ｌ）から遠ざかる方向に延びている。
【００５７】
また、おもり１５３は、第２挟持部分１３５の、ヘッド回転軸ＲＡ1と、開閉端１４７との間に配置されている。それにより、使用者が、清掃具１を持ち上げた際に、清掃ヘッド３が起立しやすくなる。
【００５８】
清掃具１では、第１挟持部分１２５が、第２挟持部分１３５のおもり１５３と対応する位置に、おもり１５３を構成する磁石と引き合うように配置された挟持用磁石１８３を備えており、挟持部１２３は、第１挟持部分１２５の挟持用磁石１８３と、第２挟持部分１３５のおもり１５３（磁石）とが引き合うことにより、閉鎖形態を保持することができる。換言すると、おもり１５３は、重心を第１ヘッド領域１１９に配置するためだけではなく、挟持部１２３が閉鎖形態を保持するために用いられている。
【００５９】
清掃ヘッド３は、厚さ方向Ｔの中心に配置された厚さ方向中心仮想面（図示せず）をさらに備え、おもり１５３が、厚さ方向中心仮想面（図示せず）と交差するように配置されている。それにより、使用者が、清掃具１を使用する際に、おもり１５３の重さを覚えにくい一方で、そして清掃具１を持ち上げた際に、清掃ヘッド３が起立しやすくなる。
【００６０】
第１挟持部分１２５の第１外面１２７は、長手方向Ｌの外方の位置に配置された、２つの第１スリット部１６３を備えている。第２挟持部分１３５の第２内面１３９は、２つの第１スリット部１６３よりも長手方向Ｌの内方の位置に配置された、第２スリット部１６５を備えている。
【００６１】
清掃具１では、清掃シート３１の一方の端部３３が、第２挟持部分１３５の第２内面１３９に配置された、２つの第２スリット部１６５に保持された上で、挟持部１２３（第１挟持部分１２５及び第２挟持部分１３５）に挟持され、そして清掃シート３１の他方の端部３５が、第１挟持部分１２５の第１外面１２７に配置された、２つの第１スリット部１６３に保持される。換言すると、清掃シート３１の一方の端部３３は、清掃ヘッド３の挟持部１２３に挟持され、そして清掃ヘッド３の他方の端部３５は、第１挟持部分１２５の第１外面１２７に保持される。
【００６２】
清掃ヘッド３の長手方向Ｌの両端に配置された両側面のそれぞれには、閉鎖形態における挟持部１２３を展開するための窪み部１７３が配置されている。それにより、使用者が、窪み部１７３に指を入れ、挟持部１２３（第１挟持部分１２５及び第２挟持部分１３５）を展開して展開形態を形成させやすく、ひいては、清掃シート３１を清掃ヘッド３に装着しやすくなる。
【００６３】
図５に示されるように、ブラケット５は、棒状の部材から構成されているとともに、ブラケット用孔１１７に回転可能に連結されているヘッド連結部２０１と、清掃具用柄７に連結されている柄連結部２０３と、ヘッド連結部２０１及び柄連結部２０３を離間させている離間部２０５とを備えている。ヘッド連結部２０１、柄連結部２０３、及び離間部２０５は、単一の平面であるのブラケット仮想面ＩＳB上に配置されている。
【００６４】
ブラケット５のヘッド連結部２０１は、おもり１５３と対向する位置に、ブラケット５の柄連結部２０３と反対側に向かって突出するヘッド固定用磁石１８１であって、おもり１５３と引き合うように配置されているものを備えている。使用者が、例えば、垂直方向狭空間を清掃するために、清掃具１を持ち上げると、おもり１５３としての磁石を含む第１ヘッド領域１１９が下方に移動し、清掃ヘッド３が起立するとともに、磁石であるおもり１５３が、ヘッド固定用磁石１８１と引き合い、清掃ヘッド３が起立した状態を固定することができる。なお、ブラケット５は、非磁性体であるステンレスから構成されているため、磁石としてのおもり１５３は、ブラケット５そのものとは引き合わず、磁石としてのおもり１５３は、突出するヘッド固定用磁石１８１のみと引き合うように構成されている。
【００６５】
清掃具用柄７は、コネクティングロッド３０１と、第１柄部分３０７と、第２柄部分３０９と、第３柄部分３１１と、把持部３１５を有する第４柄部分３１３とが、その順で連結されており、コネクティングロッド３０１と、第１柄部分３０７と、第２柄部分３０９と、第３柄部分３１１と、第４柄部分３１３とは、連結形態と、分離形態とを切替可能であるように構成されている。
【００６６】
コネクティングロッド３０１は、清掃具用柄７を、所定の方向に回転可能とする柄回転軸ＲＡ3を有する回転部であり、一対の第１継手部３０３及び第２継手部３０５から構成されている。第１継手部３０３は、柄連結部２０３に連結されており、そして第２継手部３０５が、第１柄部分３０７に連結されている。
コネクティングロッド３０１（清掃具用柄７）は、ブラケット５の柄連結部２０３に、コネクティングロッド３０１（清掃具用柄７）が、ブラケット仮想面ＩＳB上を回転可能となるように（すなわち、柄回転軸ＲＡ3がブラケット仮想面ＩＳBと直交するように）連結されている。
【００６７】
使用者は、清掃具１を使用するに当たり、閉鎖形態にある清掃ヘッド３の長手方向Ｌの両側面に配置された窪み部１７３に手を入れ、清掃ヘッド３を、展開形態に展開し、図６に示されるように、展開形態における清掃ヘッド３を、清掃シート３１の上に、挟持部１２３（第１挟持部分１２５及び第２挟持部分１３５）の第１内面１２９及び第２内面１３９が上方を向くように配置する。
【００６８】
次いで、図７に示されるように、清掃シート３１の一方の端部３３を、第２挟持部分１３５の第２スリット部１６５に固定し、次いで、図８に示されるように、第１挟持部分１２５を、清掃シート３１の一方の端部３３を間に挟んで、第２挟持部分１３５の上に載せ、挟持部１２３を閉鎖形態に変形する。なお、閉鎖形態における清掃ヘッド３では、清掃シート３１の一方の端部３３は、第２スリット部１６５と、挟持部１２３（具体的には、磁石であるおもり１５３と、ヘッド固定用磁石１８１との引き合い力）によって固定される。
次いで、使用者は、図９に示されるように、清掃シート３１の他方の端部３５を、第１挟持部分１２５の第１外面１２７に配置された、２つの第１スリット部１６３に固定する。
【００６９】
使用者が、広空間を清掃する場合には、図１０に示されるように、清掃具１を、広空間清掃形態にし、特に制限なく、被清掃面を清掃することができる。清掃シート３１の第１面３７（清掃ヘッド３の第１清掃面１１３側の面）を被清掃面の清掃に用い、第１面３７が汚れた場合には、清掃ヘッド３を１８０°回転させ、清掃シートの第２面３９（清掃ヘッド３の第２清掃面１１５側の面）を用いて、被清掃面を清掃することができる。
【００７０】
使用者が、狭空間、例えば、図１１に示されるような垂直方向狭空間５１を清掃する場合には、清掃具１を、狭空間清掃形態、具体的には、清掃ヘッド３を、清掃ヘッド３の平面方向（図示せず）と、ブラケット５のブラケット仮想面（図示せず）とが一致するように回転させ、清掃ヘッド３の長手方向Ｌの端部（好ましくは、ブラケット用孔１１７の開口部１１７ａの存在しない側の端部）を、狭空間に入れ、狭空間の被清掃面を清掃することができる。
【００７１】
清掃具１を、広空間清掃形態から狭空間清掃形態に形態変更するためには、清掃具１を、単に持ち上げればよい。清掃具１（清掃ヘッド３）を持ち上げると、清掃ヘッド３の重心が、第１ヘッド領域１１９に存在することから、清掃ヘッド３が、第１ヘッド領域１１９を下方に向けて起立しやすくなる。
【００７２】
また、清掃ヘッド３が、第１ヘッド領域１１９を下方に向けて起立すると、ブラケット５のヘッド連結部２０１の、おもり１５３と対向する位置に、ブラケット５の柄連結部２０３と反対側に向かって突出するヘッド固定用磁石１８１と、おもり１５３（磁石）と引き合うことになるため、清掃ヘッド３が起立した状態を固定することができる。
【００７３】
本開示の清掃具（本開示の使用）では、清掃ヘッドとしては、清掃シートを取り付けずに清掃を行うもの、清掃シートを取り付けて清掃を行うもの等が挙げられる。
清掃シートを取り付けずに清掃を行う清掃ヘッドとしては、ブラシ部を有するもの、スポンジ部を有するもの等が挙げられる。
【００７４】
清掃シートを取り付けて清掃を行う清掃ヘッド用の清掃シートとしては、当技術分野で公知のもの、例えば、不織布を含むもの、トウを含むもの等が挙げられる。また、上記清掃シートとしては、ドライタイプ、薬液を含浸させたウェットタイプ等が挙げられる。
上記清掃シートは、一方の端部及び他方の端部を備える清掃シートであって、当該一方の端部及び他方の端部を、清掃ヘッドに固定して用いられるように構成されているものであることができ、そして筒状の清掃シートであって、清掃ヘッドを覆うように構成されているものが挙げられる。筒状の清掃シートは、後述の片手持ちの清掃ヘッドに用いられることが好ましい。
【００７５】
本開示の清掃具（本開示の使用）では、清掃ヘッドは、平面方向及び厚さ方向を備えている板状の形状を有するとともに、平面方向に沿う方向に延びている清掃面と、平面方向に沿う方向に延びているヘッド回転軸を備えているヘッド回転部材取付部とを備えている。なお、ヘッド回転軸は、清掃ヘッドを、ヘッド回転部材に対して回転させるための回転軸である。
【００７６】
上記板状の形状は、上記平面方向に沿う方向に延びている２つの表面部であって、お互いに向かい合うものと、上記厚さ方向に沿う方向に延びている側面部とを有するものであれば、形状は、特に制限されない。上記表面部は、清掃ヘッドの厚さ方向から観察した形状が、多角形、例えば、三角形（例えば、二等辺三角形）、四角形（例えば、矩形、菱形）、五角形、六角形等、湾曲形、例えば、円形、楕円形等であることができる。上記板状の形状は、上記平面方向において、長手方向及び短手方向を有することができる。
【００７７】
また、上記表面部及び側面部は、平面だけでなく、湾曲面（例えば、両端以外の中央領域が外方に向かって突出する湾曲面、両端以外の中央領域が内方に向かって窪む湾曲面）であってもよく、そして凹凸構造、例えば、一又は複数の凸部、一又は複数の凹部等を含むことができる。それにより、清掃ヘッドが、清掃シートを保持できるように構成されている場合には、清掃ヘッドに取り付けられた清掃シートがずれにくくなり、清掃具を使用する際に、清掃シートが、清掃ヘッドから外れにくくなる。
【００７８】
本開示の清掃具（本開示の使用）では、清掃ヘッドは、２つの表面部のうち、１つの表面部（片面、すなわち、第１清掃面のみ）のみが清掃面を構成していてもよく、そして２つの表面部（両面、すなわち、第１清掃面及び第２清掃面）が清掃面を構成していてもよい。
【００７９】
本開示の清掃具（本開示の使用）では、清掃ヘッドの厚さ（厚さ方向の長さ）は、特に制限されるものではないが、狭空間を清掃する観点からは、上記厚さは、薄いことが好ましく、上記厚さは、好ましくは３．０ｃｍ以下、より好ましくは２．０ｃｍ以下である。上記厚さは、清掃具の強度の観点から、好ましくは０．１ｃｍ以上、そしてより好ましくは１．０ｃｍ以上である。なお、清掃ヘッドの厚さは、清掃ヘッドの最も厚い部分を意味する。
【００８０】
本開示の清掃具（本開示の使用）では、清掃ヘッドが、ヘッド回転部材連結部のヘッド回転軸を通り且つ清掃ヘッドの厚さ方向に延びている仮想面により、第１ヘッド領域と、第２ヘッド領域とに区画された場合に、清掃ヘッドが、清掃ヘッドの重心を、第１ヘッド領域に有することができる。また、上記清掃具は、清掃ヘッドの重心を、清掃ヘッドのヘッド回転軸を水平方向に保持した状態且つ清掃ヘッドを固定していない状態において、清掃ヘッドの第１領域が下方に移動し、清掃ヘッドの第２領域が上方に移動するように備えていることが好ましい。垂直方向清掃性、並びに垂直方向狭空間清掃性の観点からである。
【００８１】
清掃ヘッドの重心は、第１ヘッド領域及び第２ヘッド領域において、清掃ヘッドを構成する部材等の質量を変えることにより調整することができる。
また、清掃ヘッドの重心は、第１ヘッド領域に追加の部材、例えば、おもり等を配置することにより調整することができる。上記おもりの素材としては、例えば、金属（例えば、鉄、ステンレス、鉛、銅、磁石）、ゴム、プラスチック等が挙げられる。
【００８２】
本開示の清掃具（本開示の使用）では、清掃ヘッドのヘッド回転部材連結部は、清掃ヘッドの平面方向に沿う方向に延びているヘッド回転軸を備えているとともに、清掃ヘッドと、ヘッド回転部材とを、回転可能に連結することができるものであれば、特に制限されない。
【００８３】
ヘッド回転部材の好ましい構成については後述するが、上記ヘッド回転部材連結部としては、（ｉ）ヘッド回転部材としての棒状のブラケットを回転可能に連結するように構成された、開口部を有するブラケット用孔（例えば、第１実施形態に示されるもの）、（ｉｉ）ヘッド回転部材としての回転部材側継手部（例えば、円弧状の回転部材側継手部）と回転可能に連結するように構成されたヘッド側継手部（例えば、円弧状の回転部材側継手部に挿入するように構成された、円柱状のヘッド側継手部，例えば、特開２０１７−３８４に記載される、第１の継手部材５ａ）等が挙げられる。
【００８４】
上記ヘッド回転部材連結部がブラケット用孔である場合には、ブラケット用孔の開口部は、清掃ヘッドの任意の位置に配置されることができ、そして側面部に配置されることが好ましい。ブラケット用孔の開口部は、清掃ヘッドが長手方向及び短手方向を有する場合には、長手方向における端部（両端部）を構成する側面部（両側面部）、短手方向における端部（両端部）を構成する側面部（両側面部）に配置されることができ、長手方向における端部（両端部）を構成する側面部（両側面部）に配置されることが好ましい。清掃具の使いやすさの観点からである。
【００８５】
本開示の清掃具（本開示の使用）では、清掃ヘッドのヘッド回転軸、ヘッド回転部材（例えば、ブラケット用孔、ヘッド側継手部等）等は、所定の方向における上記側面部の、平面方向の中央に配置されることが好ましく、清掃ヘッドが長手方向及び短手方向を有する場合には、上記所定の方向は、長手方向又は短手方向であることができ、上記清掃ヘッドのヘッド回転軸、ヘッド回転部材（例えば、ブラケット用孔、ヘッド側継手部等）等は、長手方向の中央又は短手方向の中央に配置されることが好ましい。清掃ヘッドの回転のしやすさ、並びに清掃具の使いやすさの観点からである。
【００８６】
上記おもりは、第１ヘッド領域の任意の位置に配置されうるが、ヘッド回転軸から遠い位置に少なくとも配置されていることが好ましい。清掃ヘッドの質量の増加を抑制しつつ、清掃ヘッドの重心を効率よくヘッド回転軸から離間させることできる（清掃ヘッドを起立させやすくする）ので、清掃ヘッドが、垂直方向清掃性、垂直方向狭空間清掃性、清掃面切替性等に優れる。
上記おもりは、ヘッド回転軸に沿う方向に延びているように配置されていてもよく、そしてヘッド回転軸と直交する方向に沿うように延びているように配置されていてもよい。
【００８７】
本開示の清掃具（本開示の使用）において、清掃ヘッドが、奇数個又は偶数個のおもりを備えている場合には、奇数個又は偶数個のおもりが、清掃ヘッドの厚さ方向の中心に配置された厚さ方向中心仮想面と交差するように配置されることができる。それにより、使用者が、清掃ヘッドを含む清掃具を持ち上げた際に、清掃ヘッドが垂直方向に沿う方向に起立しやすくなる。
【００８８】
また、本開示の清掃具（本開示の使用）において、清掃ヘッドが偶数個のおもりを備えている場合には、偶数個のおもりが、上述の厚さ方向中心仮想面に対して対象に配置されることができる。それにより、使用者が、清掃ヘッドを含む清掃具を持ち上げた際に、清掃ヘッドが垂直方向に沿う方向に起立しやすくなる。
【００８９】
また、本開示の清掃具（本開示の清掃ヘッド、本開示の使用）において、清掃ヘッドがおもりを備えている場合に、おもりが、清掃ヘッドの厚さ方向の中心に配置された厚さ方向中心仮想面に対して非対称になるように配置されることができる。例えば、清掃ヘッドが１つのおもりを備えている場合に、おもりが、厚さ方向中心仮想面と交差しないように配置することができる。それにより、使用者が、清掃ヘッドを含む清掃具を持ち上げた際に、清掃ヘッドが垂直方向から傾いた方向に傾斜しやすくなるため、清掃具を、水平方向清掃形態及び垂直方向清掃形態に切替えやすくなる。
【００９０】
本開示の清掃具（本開示の使用）において、清掃ヘッドが、清掃シートを取り付けて清掃を行うものである場合には、清掃ヘッドが、清掃シートの一方の端部及び他方の端部の少なくとも一方を挟持する挟持部であって、展開形態及び閉鎖形態をとることができるように構成されたものを備えることができる。それにより、清掃シートの、挟持部に挟持されている端部が挟持部から外れにくく、清掃シートが清掃ヘッドから外れにくくなる。なお、上記挟持部は、清掃シートの一方の端部及び他方の端部の一方を挟持することができ、そして清掃シートの一方の端部及び他方の端部の両方を挟持することができる。
【００９１】
上記挟持部としては、清掃シートを挟持できるものであれば、特に制限されないが、上記挟持部は、第１挟持部分と、第２挟持部分とを備えており、第１挟持部分及び第２挟持部分が、所定の方向（好ましくは、ヘッド回転軸、長手方向等に沿う方向）に沿う方向に延びている挟持部回転軸を有する回転端により回転可能に連結されているとともに、所定の方向（好ましくは、ヘッド回転軸、長手方向等に沿う方向）に沿う方向に延びている開閉端により開閉可能に連結されていることが好ましい。それにより、清掃シートの、挟持部に挟持されている端部が挟持部から外れにくく、清掃シートが清掃ヘッドから外れにくくなる。
【００９２】
上記回転端及び開閉端は、清掃ヘッドの任意の位置に配置されることができ、例えば、回転端（挟持部回転軸）及び／又は開閉端が、ヘッド回転軸に沿う方向に延びている場合には、回転端（挟持部回転軸）及び／又は開閉端は、ヘッド回転軸と直交する直交方向の端部、ヘッド回転軸と隣接する領域等に配置されうる。また、回転端（挟持部回転軸）及び／又は開閉端が、清掃ヘッドの長手方向に沿う方向に延びている場合には、回転端（挟持部回転軸）及び／又は開閉端は、短手方向の端部、ヘッド回転軸と隣接する領域等に配置されうる。
【００９３】
本開示の清掃具（本開示の使用）において、清掃ヘッドが上述の第１ヘッド領域及び第２ヘッド領域に区画される場合には、上記回転端及び開閉端のそれぞれは、第１ヘッド領域に存在してもよく、そして第２ヘッド領域に存在してもよい。上記回転端は、第１ヘッド領域に存在することが好ましく、そして第１ヘッド領域の、第２ヘッド領域と反対側の端部に存在することがより好ましい。それにより、挟持部を展開形態にし、清掃シートを清掃ヘッドに固定した後、挟持部を閉鎖形態にする際に、清掃シートが引っ張られにくく、ひいては、清掃具を使用する際に、清掃シートが、清掃ヘッドから外れにくくなる。
また、上記開閉端は、第２ヘッド領域に存在することが好ましく、そして第２ヘッド領域の、第１ヘッド領域と反対側の端部に存在することがより好ましい。それにより、清掃面に、清掃シートの端部が配置されないため、清掃シートが、清掃ヘッドから外れにくくなる。
【００９４】
本開示の清掃具（本開示の使用）において、清掃ヘッドが、清掃シートを保持できるように構成されている場合には、清掃ヘッドは、清掃シートを保持するための清掃シート固定部を備えていることが好ましい。上記清掃シート固定部としては、挟込（例えば、挟持部）、スリット部（例えば、第１実施形態及び第２実施形態に示される、第１スリット部１６３及び第２スリット部１６５）、面ファスナーのフック部材等が挙げられる。
【００９５】
本開示の清掃具（本開示の使用）において、清掃ヘッドが、清掃シートを保持するための清掃シート固定部を備えている場合には、清掃ヘッドは、その外面に、一又は複数の清掃シート固定部を備えていてもよく、そしてその内面に、一又は複数の清掃シート固定部を備えていてもよい。
【００９６】
清掃ヘッドが、その内面に、一又は複数の清掃シート固定部を備えている例としては、例えば、清掃ヘッドが、挟持部、例えば、第１挟持部分及び第２挟持部分を有する挟持部を備えているものが挙げられる。第１挟持部分及び第２挟持部分は、所定の方向（好ましくは、ヘッド回転軸、長手方向等に沿う方向）に延びている挟持部回転軸を有する回転端により回転可能に連結されているとともに、所定の方向（好ましくは、ヘッド回転軸、長手方向等に沿う方向）に延びている開閉端により開閉可能に連結されているものが挙げられ、そして第１挟持部分の第１内面又は第２挟持部分の第２内面が、清掃シート固定部を備えているものが挙げられる。
【００９７】
また、清掃ヘッドは、その外面に、一又は複数の清掃シート固定部を備えることができ、清掃ヘッドが、挟持部、例えば、第１挟持部分及び第２挟持部分を有する挟持部を備えている場合には、第１挟持部分の第１外面及び／又は第２挟持部分の第２外面が、清掃シート固定部を備えていることができる。
【００９８】
本開示の清掃具（本開示の使用）において、清掃ヘッドが、第１挟持部分及び第２挟持部分を有する挟持部を備えているとともに、第１ヘッド領域におもりが配置されている場合には、おもり及びヘッド回転部材連結部は、単一の挟持部分、すなわち、第１挟持部分又は第２挟持部分に配置されていることが好ましい。それにより、使用者が、清掃具を使用する際に、おもりの重さを覚えにくい一方で、そして清掃具を持ち上げた際に、清掃ヘッドが起立しやすくなるので、清掃具（清掃ヘッド）が、垂直方向清掃性、垂直方向狭空間清掃性、清掃面切り替え性等に優れる。
【００９９】
本開示の清掃具（本開示の使用）において、清掃ヘッドが挟持部を備えている場合、例えば、第１挟持部分及び第２挟持部分を有する挟持部を備えている場合には、第１挟持部分と、第２挟持部分との閉鎖形態を保持するための保持手段としては、当技術分野で公知のものを採用することができ、例えば、一対の嵌合用突起及び嵌合用窪み、面ファスナー（フック型部材及びループ型部材）、一対の磁石、一対の磁石及び強磁性体（例えば、鉄、コバルト、ニッケル）、クリップ用ばね、メカニカルロック等が挙げられる。
【０１００】
上記一対の嵌合用突起及び嵌合用窪みは、それぞれ、所定の方向に向かって突出及び窪んでおり、当該所定の方向は、清掃ヘッドの平面方向を構成する方向（例えば、長手方向又は短手方向）であることが好ましく、清掃ヘッドの長手方向を構成する方向（例えば、長手方向の内方又は外方）であることがより好ましく、清掃ヘッドの長手方向の内方であることがさらに好ましい。それにより、挟持部の閉鎖形態を保持しやすくなる。
【０１０１】
本開示の清掃具（本開示の使用）では、清掃ヘッドは、種々の素材から構成されることができるが、その外面が軟質部材から構成され、そして内部が、上記軟質部材よりも硬質の硬質部材から構成されることができる。操作性と、清掃性との両立との観点からである。
【０１０２】
上記軟質部材を構成する素材としては、例えば、エチレン酢酸ビニルコポリマー（ＥＶＡ）、ポリウレタン（ＰＵ）、エラストマー、ゴム、スポンジ、各種発泡体、布帛（例えば、不織布、例えば、フェルト、織物、編物）等が挙げられ、そして上記硬質部材を構成する素材としては、例えば、ＡＢＳ樹脂、ポリオレフィン（例えば、ポリエチレン（ＰＥ）、ポリプロピレン（ＰＰ）等）、ポリエチレンテレフタラート（ＰＥＴ）、ポリアセタール（ＰＯＭ）、ポリカーボネート（ＰＣ）、ポリスチレン（ＰＳ）、ポリアミド（ＰＡ）、ポリ塩化ビニル（ＰＶＣ）、アクリル樹脂、及びそれらの複合材料、並びに金属（例えば、アルミニウム）等が挙げられる。
【０１０３】
本開示の清掃具（本開示の使用）では、清掃具は、清掃ヘッドと、ヘッド回転部材と、清掃具用柄とを備えていることができる。
上記ヘッド回転部材は、清掃ヘッドを清掃具用柄に連結することができるものであれば、その構造は、特に制限されない。
清掃ヘッドのヘッド回転部材連結部が、開口部を有するブラケット用孔である場合には、上記ヘッド回転部材は、棒状の部材から構成されており、清掃ヘッドのブラケット用孔を介して、清掃ヘッドに回転可能に連結されるように構成されるブラケットであることが好ましい。上記ブラケットは、狭空間清掃性の観点から、単一の平面であるブラケット仮想面上に配置されていることが好ましい。
【０１０４】
上記棒状の部材としては、断面が円形、楕円形、多角形のものが挙げられ、そして上記ブラケットは、少なくともヘッド連結部の断面が円形であることが好ましく、ブラケット全体の断面が円形であることが好ましい。清掃ヘッドをヘッド回転軸を中心に回転させる観点、ブラケットが被清掃面を傷つけにくい観点からである。上記ブラケットの素材としては、例えば、金属、例えば、磁性体（磁性金属）、例えば、鉄（例えば、鉄の亜鉛メッキ物）、非磁性体（非磁性金属）、例えば、ステンレス、アルミニウム等が挙げられる。
【０１０５】
本開示の清掃具（本開示の使用）では、清掃具が、後述の清掃ヘッド固定機構を備えている場合であって、清掃ヘッド固定機構が一対の磁石又は一対の磁石及び強磁性体であるときには、上記ブラケットは、強磁性体、非磁性体及びそれらの組み合わせから構成されることができ、そして磁石を備えることができる。
例えば、上記ブラケットを、非磁性体（例えば、ステンレス）から形成し、その一部に強磁性体又は磁石を配置することにより、清掃ヘッドを、所望の位置で固定することができる。
【０１０６】
上記ブラケットは、例えば、ブラケット用孔に回転可能に連結されるヘッド連結部と、清掃具用柄に連結されている柄連結部と、ヘッド連結部及び柄連結部を離間させている離間部とを備えていることができる。柄連結部及び離間部と、ヘッド連結部及び離間部とは、交差するように連結していてもよく、そして湾曲するように一体化していてもよい。
【０１０７】
上記ヘッド連結部と、柄連結部とは、任意の長さを有することができる。例えば、ヘッド連結部が、柄連結部と略同一の長さであることができ、それにより、ブラケット、ひいては清掃具を軽量化するとともに、清掃具用柄に加えた力を、清掃ヘッドに的確に伝えやすくなる。また、ヘッド連結部が、柄連結部よりも長くともよく、それにより、清掃具用柄に加えた力を、清掃ヘッドにより伝えやすくなる。さらに、上記ヘッド連結部は、清掃ヘッドと略同一の長さ、又は清掃ヘッドよりも長い長さを有することができ、それにより、清掃具用柄に加えた力を、清掃ヘッドの全体に伝えやすくなる。
【０１０８】
上記ヘッド連結部と、柄連結部と、離間部とにおいて、少なくともヘッド連結部及び柄連結部は、ブラケット仮想面上に配置されていることが好ましく、そしてヘッド連結部、柄連結部及び離間部が、ブラケット仮想面上に配置されていることがより好ましい。狭空間清掃性の観点からである。
【０１０９】
清掃ヘッドのヘッド回転部材連結部が、ヘッド側継手部である場合には、ヘッド回転部材は、清掃ヘッドのヘッド側継手部（例えば、ヘッド回転軸を備える円柱状のヘッド側継手部）と回転可能に連結するように構成された回転部材側継手部（例えば、円柱状のヘッド側継手部を覆うように構成された回転部材側継手部）であることができる。
【０１１０】
本開示の清掃具（本開示の使用）では、清掃具が、清掃ヘッドを、ヘッド回転部材又は清掃具用柄に固定できるように構成されている（以下、清掃具が、「清掃ヘッド固定機構」を備えると称する場合がある）。それにより、清掃具を持ち運ぶ際、清掃具を保管する際等の、清掃ヘッドを回転させたくない際に、清掃ヘッドを固定しておくことができ、清掃具が、清掃ヘッド固定性に優れる。
【０１１１】
本開示の清掃具（本開示の使用）において、清掃ヘッドを、ヘッド回転部材に固定する場合には、ヘッド回転部材が、ブラケット又は回転部材側継手部であることでき、そしてブラケットであることが好ましい。また、清掃ヘッドを固定するヘッド回転部材がブラケットである場合であって、ブラケットが、ブラケット仮想面上に配置されているときには、上記清掃具が、清掃ヘッド及びブラケットを、清掃ヘッドの平面方向と、ブラケット仮想面とが一致するように固定できるように構成されていることが好ましい。それにより、清掃具が、清掃ヘッド固定性、特に、狭空間清掃形態の固定性に優れる。
清掃ヘッドは、ブラケットの、ヘッド連結部、柄連結部又は離間部のいずれかに固定されうる。
【０１１２】
上記清掃ヘッド固定機構としては、一対の磁石、一対の磁石及び強磁性体（例えば、鉄、コバルト、ニッケル）、一対の嵌合部等が挙げられる。上記清掃ヘッド固定機構が一対の磁石である例としては、ヘッド回転部材（例えば、ブラケットのヘッド連結部、柄連結部及び／又は離間部、回転部材側継手部等）に配置された磁石と、清掃ヘッドの、ヘッド回転部材に配置された磁石と対応する位置に配置された磁石とを含む実施形態（例えば、第１実施形態）が挙げられる。上記清掃ヘッド固定機構が、一対の磁石及び強磁性体である例も同様である。上記清掃ヘッド固定機構が、一対の嵌合部である例としては、後述の第２実施形態、すなわち、ヘッド回転部材としての棒状のブラケットと、清掃ヘッドに配置された、棒状のブラケットと嵌合するように形成された溝部とが挙げられる。
【０１１３】
なお、上記清掃ヘッド固定機構が一対の磁石である場合であって、ブラケットのヘッド連結部に磁石が配置されているときには、ブラケットのヘッド連結部が非磁性体から構成されているとともに、上記磁石が、ヘッド回転軸の周方向の所定の位置に配置されていることが好ましく、そして上記磁石が、ヘッド回転軸と直交する方向に、ブラケットのヘッド連結部よりも突出していることがより好ましい。そうすることにより、清掃ヘッドが、所望の位置で固定されやすくなる。
【０１１４】
本開示の清掃具（本開示の使用）において、清掃ヘッドを、清掃具用柄に固定する場合には、ヘッド回転部材及びヘッド回転部材連結部が、一対の回転部材側継手部及びヘッド側継手部であることが好ましい。また、清掃ヘッドが、平面方向のうち、ヘッド回転軸と交差する方向（好ましくは直交する方向）に延びている、清掃具用柄を受け入れるための受入部を備えていることが好ましい。清掃ヘッドを、清掃具用柄に固定するためである。
上記受入部は、清掃ヘッドの厚さ方向に貫通していてもよく、清掃ヘッドの厚さ方向に貫通していなくともよい。
【０１１５】
上記清掃ヘッド固定機構としては、清掃ヘッドを、ヘッド回転部材に固定する場合と同様であり、一対の磁石、一対の磁石及び強磁性体（例えば、鉄、コバルト、ニッケル）、一対の嵌合部等が挙げられる。上記清掃ヘッド固定機構が一対の磁石である例としては、清掃具用柄に配置された磁石と、清掃ヘッドの受入部の、清掃具用柄に配置された磁石と対応する位置に配置された磁石とを含む実施形態が挙げられる。上記清掃ヘッド固定機構が、一対の磁石及び強磁性体である例も同様である。上記清掃ヘッド固定機構が、一対の嵌合部である例としては、清掃具用柄と、清掃ヘッドの受入部に配置された、清掃具用柄と嵌合するように形成された溝部とが挙げられる。
【０１１６】
図１２は、本開示の別の実施形態（以下、「第２実施形態」と称する場合がある）に従う清掃具１を説明するための図である。
第２実施形態に従う清掃具１では、清掃ヘッド３が、ヘッド回転部材連結部としてのブラケット用孔１１７を有する側面に、そしてブラケット用孔１１７の短手方向Ｓの両側部のそれぞれに、ヘッド回転部材としてのブラケット５の離間部２０５を保持するための、短手方向Ｓと平行に延びている溝部１９１を備えている。
【０１１７】
また、ブラケット５は、棒状の部材から構成されているとともに、ブラケット用孔１１７に回転可能に連結されているヘッド連結部（図示せず）と、清掃具用柄（図示せず）に連結されている柄連結部２０３と、ヘッド連結部（図示せず）及び柄連結部２０３を離間させている離間部２０５とを備えており、ヘッド連結部（図示せず）、柄連結部２０３、及び離間部２０５は、単一の平面であるのブラケット仮想面（図示せず）上に配置されている。
【０１１８】
第２実施形態に従う清掃具１は、清掃ヘッド３の平面方向Ｐと、ブラケット仮想面（図示せず）とを一致させた際に、ブラケット５の離間部２０５が、溝部１９１に保持されるため、清掃ヘッド３の平面方向Ｐと、ブラケット仮想面（図示せず）とを一致させた状態で固定することができる。
【０１１９】
本開示の清掃具（本開示の使用）では、清掃具が、清掃ヘッドがヘッド回転軸を中心に自由回転することを抑制するための回転抑制部材をさらに備えていてもよい。それにより、清掃具を持ち上げた際に、清掃ヘッドが、ヘッド回転軸を軸として、振り子のように振れ続けることを抑制することができる。
【０１２０】
上記回転抑制部材としては、清掃ヘッドのヘッド回転部材連結部と、ヘッド回転部材との間［例えば、ブラケット用孔の内面と、ブラケット（例えば、ヘッド連結部）の外面との間、ヘッド側継手部と、回転部材側継手部との間等］に配置された摩擦増強剤（例えば、グリース）が挙げられる。摩擦増強剤を用いることにより、回転抑制作用が経時で低下しにくい。
【０１２１】
また、上記回転抑制部材としては、ヘッド回転部材（例えば、ブラケットのヘッド連結部の外周の一部又は全部、回転部材側継手部等）に配置される突出部材（例えば、ブラケットのヘッド連結部の外周の全部に配置されるＯ状リング）であって、ヘッド回転部材連結部（例えば、ブラケット用孔の内面、ヘッド側継手部）と摩擦を生じさせるように構成されたもの、ヘッド回転部材連結部（例えば、ブラケット用孔の内面、ヘッド側継手部等）に配置された突出部材であって、ヘッド回転部材（例えば、ブラケットのヘッド連結部の外面、ブラケット側継手部）と摩擦を生じさせるように構成されるもの等が挙げられる。
【０１２２】
本開示の清掃具（本開示の使用）では、清掃具は、いわゆる、片手持ち、例えば、清掃ヘッドが、１カ所のみにおいて、ヘッド回転部材連結部としてのブラケット用孔を介して、ヘッド回転部材としてのブラケットに連結されているもの、清掃ヘッドが、１カ所のみにおいて、ヘッド回転部材連結部としてのヘッド側継手部を介して、ヘッド回転部材としての回転部材側継手部に連結されているもの等であることができる。
【０１２３】
本開示の清掃具（本開示の使用）では、清掃具は、いわゆる、両手持ち、例えば、清掃ヘッドが、複数箇所（好ましくは２カ所）において、ヘッド回転部材連結部としてのブラケット用孔を介して、ヘッド回転部材としてのブラケットに連結されているもの、清掃ヘッドが、複数箇所（好ましくは２カ所）において、ヘッド回転部材連結部としてのヘッド側継手部を介して、ヘッド回転部材としての回転部材側継手部に連結されているもの等であることができる。
【０１２４】
上記清掃具を片手持ちとすることにより、図１１に示されるように、清掃ヘッドの、ヘッド回転部材としてのブラケットが存在しない側の端部を用いて狭空間を清掃しやすくなる。また、上記清掃具を両手持ちとすることにより、使用者の力が、清掃ヘッドに伝わりやすくなる。
【０１２５】
両手持ちの清掃具としては、例えば、清掃ヘッドの側面部の２カ所に配置された、ヘッド回転部材としての、２つのブラケット用孔を介して、ヘッド回転部材としてのブラケットに連結されているものが挙げられる。
本開示の清掃具（本開示の使用）が長手方向及び短手方向を有する場合には、上記２つのブラケット用孔は、清掃ヘッドの長手方向の両端に配置された、お互いに向かい合う２つの側面部又は清掃ヘッドの短手方向の両端に配置された、お互いに向かい合う２つの側面部であることができ、そして清掃ヘッドの長手方向の両端に配置された、お互いに向かい合う２つの側面部であることが好ましい。
【０１２６】
上記２つのブラケット用孔は、連続して一体化されていてもよく、そして分離されていてもよいが、単一のヘッド回転軸を有することが好ましい。
【符号の説明】
【０１２７】
１    清掃具
３    清掃ヘッド
５    ブラケット
７    清掃具用柄
３１    清掃シート
１１１    清掃面
１１３    第１清掃面
１１５    第２清掃面
１１７    ブラケット用孔
１１８    ブラケット保持部
１１９    第１ヘッド領域
１２１    第２ヘッド領域
１２３    挟持部
１２５    第１挟持部分
１３５    第２挟持部分
１４５    回転端
１４７    開閉端
１５３    おもり
Ｐ    平面方向
Ｔ    厚さ方向
Ｌ    長手方向
Ｓ    短手方向
ＩＳ    仮想面
ＩＳB    ブラケット仮想面
ＲＡ1    ヘッド回転軸
ＲＡ2    挟持部回転軸
ＲＡ3    柄回転軸
【図１】
2020075057.tif 000003
【図２】
2020075057.tif 000004
【図３】
2020075057.tif 000005
【図４】
2020075057.tif 000006
【図５】
2020075057.tif 000007
【図６】
2020075057.tif 000008
【図７】
2020075057.tif 000009
【図８】
2020075057.tif 000010
【図９】
2020075057.tif 000011
【図１０】
2020075057.tif 000012
【図１１】
2020075057.tif 000013
【図１２】
2020075057.tif 000014